(57)【要約】      （修正有）【課題】平行に配置された表裏の鋼板をセパレーター等の間隔保持材によって一体的に連結して成る鋼板ブロックを現地で据え付けた後、その鋼板ブロック内部にコンクリートを打設して鋼板コンクリート構造物を構築する鋼板ブロック工法、及び同工法の実施に使用する鋼板ブロックを提供する。【解決手段】鋼板１ａ，１ｂの間隔保持材２の端部に間隔調整機構１４を設けた鋼板ブロック３を現地で据え付けた後、鋼板ブロック３の外側から前記間隔調整機構１４を操作して、隣接する鋼板ブロック３の鋼板相互間に生じた目違いを修正し、その後に鋼板ブロック内部にコンクリートを打設する。【選択図】  図３
2005016070.tif 000002
【特許請求の範囲】
【請求項１】
平行に配置された表裏の鋼板をセパレーター等の間隔保持材によって一体的に連結して成る鋼板ブロックを現地で据え付けた後、その鋼板ブロック内部にコンクリートを打設して鋼板コンクリート構造物を構築する鋼板ブロック工法において、
鋼板の間隔保持材の端部に間隔調整機構を設けた鋼板ブロックを現地で据え付けた後、鋼板ブロックの外側から前記間隔調整機構を操作して、隣接する鋼板ブロックの鋼板相互間に生じた目違いを修正し、その後に鋼板ブロック内部にコンクリートを打設することを特徴とする、鋼板ブロック工法。
【請求項２】
鋼板ブロックを据え付ける際に、予め隣接させる一方の鋼板ブロックの鋼板相互の間隔を広げておき、その広げた鋼板の相互間へ他方の鋼板ブロックの鋼板端部を嵌め込み、又は前記広げた鋼板の端部を他方の鋼板ブロックの端部に被せ、その後に前記広げた鋼板相互の間隔を縮小して目違いを修正することを特徴とする、請求項１に記載した鋼板ブロック工法。
【請求項３】
平行に配置された表裏の鋼板をセパレーター等の間隔保持材によって一体的に連結して成る鋼板ブロックにおいて、
鋼板の間隔保持材の端部に、鋼板ブロックの外側から操作可能な構成の間隔調整機構が設けられており、前記間隔調整機構により隣接する鋼板相互間に生じた目違いを修正可能に構成されていることを特徴とする、間隔調整機構を備えた鋼板ブロック。
【請求項４】
間隔調整機構は押しバネと押し・引きボルトとで構成されており、
前記押しバネは間隔保持材と鋼板との間に配置され、該鋼板に設けたボルト孔から挿入された押し・引きボルトが前記押しバネの内部に通され、間隔保持材の端部に形成された雌ネジ部にネジ込まれ、上記押しバネに圧縮力を発現させていることを特徴とする、請求項３に記載した間隔調整機構を備えた鋼板ブロック。
【請求項５】
間隔調整機構はナットと調整ネジとで構成されており、
前記ナットは鋼板の所定の位置に設けた孔と同心位置となるように、前記鋼板の内側面に設けられていること、
調整ネジの両端部には相互に逆方向の雄ネジ部が形成され、その一方の端部に前記調整ネジを回転させる工具が嵌め込まれる嵌合孔が設けられ、その嵌合孔を設けた側の雄ネジ部が上記ナットにネジ込まれ、他側の雄ネジ部が間隔保持材の端部に形成された雌ネジ部にネジ込まれていることを特徴とする、請求項３に記載した間隔調整機構を備えた鋼板ブロック。
【請求項６】
間隔保持材は、鋼板の変位に追従して撓むように、雌ネジ部を形成した端部以外の部位が、同端部の外径より細く形成されていることを特徴とする、請求項５に記載した間隔調整機構を備えた鋼板ブロック。
【請求項７】
間隔保持材は、鋼板の変位に追従して撓むように柔軟な部材で構成されていることを特徴とする、請求項５に記載した間隔調整機構を備えた鋼板ブロック。
【発明の詳細な説明】
【０００１】
【発明の属する技術分野】
この発明は、平行に配置された表裏の鋼板をセパレーター等の間隔保持材によって一体的に連結して成る鋼板ブロックを現地で据え付けた後、その鋼板ブロック内部にコンクリートを打設して鋼板コンクリート構造物を構築する鋼板ブロック工法、及び同工法の実施に使用する鋼板ブロックの技術分野に属する。
【０００２】
【従来の技術】
（１）通例の鋼板ブロック工法は、先ず鋼板コンクリート構造物５の壁部分を構築するために、壁交差部用の鋼板ブロック６を床版７上に据え付け（図１（Ａ）を参照）、前記壁交差部用の鋼板ブロック６と６の相互間に、表裏の鋼板１ａと１ｂをセパレーター等の間隔保持材２によって一体的に連結して成る壁用の鋼板ブロック３を据え付け（図１（Ｂ）を参照）、鋼板ブロック３の鋼板１ａ（又は１ｂ）と鋼板ブロック６の鋼板８ａ（又は８ｂ）の端部同士を接合した後に（図１（Ｃ）を参照）、鋼板ブロック３と６の内部にコンクリート４を打設して鋼板コンクリート構造物５の壁部分を構築する（図１（Ｄ）を参照）。
【０００３】
次に、鋼板コンクリート構造物５の床部分を構築するために、該構造物５の上部開口部を塞ぐように床用の鋼板ブロック９を据え付け（図２（Ａ）を参照）、その鋼板ブロック９の外縁を鋼板ブロック３の鋼板１ｂ（又は１ａ）、及び鋼板ブロック６の鋼板８ｂに接合し（図２（Ｂ）を参照）、縦横に複数本の鉄筋１０…を配置し（図２（Ｃ）を参照）、上記鋼板ブロック９の上面へ床形成用のコンクリート１１を打設して鋼板コンクリート構造物５の床部分を構築する。
【０００４】
そして、前記床部分の上方において、上記工程を繰り返し所定の階層の鋼板コンクリート構造物５を構築する。
【０００５】
上記の鋼板ブロック工法は合理的で従来から実施されており、例えば、特許文献１に開示されている鋼板ブロック工法も、略同様の工程で鋼板コンクリート構造物を構築している。
【０００６】
しかし、壁用の鋼板ブロックを据え付け、隣接する鋼板ブロックの鋼板相互を接合しようとしても、各鋼板ブロックの製作誤差や据え付け誤差などによって、隣接する鋼板相互に目違いが生じ、該目違いが大きいと溶接できなかったり、所定の強度が得られなかったりする問題点がある。
【０００７】
また、鋼板ブロック相互を接合しないで壁部分を構築しようとしても、上記同様に隣接する鋼板相互間に目違いが生じ、該目違いが大きいと、美観上好ましくない。しかも、鋼板コンクリート構造物を主として採用する原子力関連施設では、目違いが大きいと内壁側の鋼板表面に付着した放射能汚染物質を取り除く際に妨げとなる問題点がある。
【０００８】
（２）ところが、従来の鋼板ブロックは、平行に配置された表裏の鋼板がセパレーター等の間隔保持材によって一体的に連結され、前記鋼板の相互間が所定の間隔に保持されて成り、該間隔を調整して隣接する鋼板ブロックの鋼板相互間に生じた目違いを修正できる構成とされていなかった。例えば、
【０００９】
（ｉ）特許文献２に開示されている鋼板ブロックは、一側の鋼板の内側面にスタッドバー（間隔保持材）の一方の端部が接合され、他方の端部に設けられた接続具に、他側の鋼板のボルト孔に挿入されたボルトがネジ込まれて、鋼板相互が連結され所定の間隔に保持されている。
【００１０】
（ｉｉ）特許文献３に開示されている鋼板ブロックは、両端部に固定用棒鋼が設けられたダイバー（間隔保持材）が鋼板の相互間に配置され、その固定用棒鋼に鋼板のボルト孔に挿入されたボルトがネジ込まれて、鋼板相互が連結され所定の間隔に保持されている。
【００１１】
（ｉｉｉ）特許文献４に開示されている鋼板ブロックは、一側の鋼板の内側面に間隔保持材の一方の端部が接合され、他方の端部に雌型嵌合金物が接合されている。他側の鋼板の内側面にも間隔保持材の一方の端部が接合され、他方の端部に雄型嵌合金物が接合されている。前記雄型嵌合金物と雌型嵌合金物とが嵌め合わされて、鋼板相互が連結され所定の間隔に保持されている。
【００１２】
（ｉｖ）特許文献５に開示されている鋼板ブロックは、複数本の連結桿（間隔保持材）の一端が帯状鋼材に、他端が一側の鋼板の内側面に接合され、前記帯状鋼材は他側の鋼板に栓溶接されて、鋼板相互が連結され所定の間隔に保持されている。
【００１３】
（ｖ）特許文献６に開示されている鋼板ブロックは、連結棒（間隔保持材）が台座付きスタッド形状とされ、その素棒側は一側の鋼板の内側面に接合されている。予め連結棒に対応する位置に孔を設けた他側の鋼板の内側面に上記連結棒の台座が当てがわれ、前記鋼板の孔からスポット溶接が施されて、鋼板相互が連結され所定の間隔に保持されている。
【００１４】
（３）そこで、上記問題点を解決するべく、表裏の鋼板相互の間隔を調整して隣接する鋼板相互間に生じた目違いを修正できる鋼板ブロックが開発され公知である。例えば、
【００１５】
特許文献７に開示されている鋼板ブロックは、一側の鋼板の内側面に間隔保持材の一端が接合されると共に、他側の鋼板の内側面にも間隔保持材の一端が接合されている。前記両間隔保持材の他端相互がターンバックルで連結され、該ターンバックルを回転させて鋼板相互の間隔を調整できる構成とされている。
【００１６】
【特許文献１】
特開２００２−３４８９５１号公報
【特許文献２】
特開平４−２５０２０４号公報
【特許文献３】
特開２０００−２４０１９６号公報
【特許文献４】
特開平６−２６４５４０号公報
【特許文献５】
特許第２５０２２１８号公報
【特許文献６】
特開平６−２７２３４２号公報
【特許文献７】
特許第２７８３０３９号公報
【００１７】
【本発明が解決しようとする課題】
上記（３）の鋼板ブロックは、鋼板相互の間隔を調整できる構成とされているが、鋼板ブロックの内側に作業員が入ってターンバックルを回転させないと、調整作業ができず、作業性が悪い。そのため、隣接する鋼板ブロックの鋼板相互間に生じた目違いを修正することは煩雑である。
【００１８】
本発明の目的は、隣接する鋼板ブロックの鋼板相互間に生じた目違いを、簡単に鋼板ブロックの外側から修正することができ、作業性の良い鋼板ブロック工法を提供すると共に、同工法の実施に好適に使用することができる鋼板ブロックを提供することである。
【００１９】
【課題を解決するための手段】
上記従来技術の課題を解決するための手段として、請求項１に記載した発明に係る鋼板ブロック工法は、
平行に配置された表裏の鋼板をセパレーター等の間隔保持材によって一体的に連結して成る鋼板ブロックを現地で据え付けた後、その鋼板ブロック内部にコンクリートを打設して鋼板コンクリート構造物を構築する鋼板ブロック工法において、
鋼板の間隔保持材の端部に間隔調整機構を設けた鋼板ブロックを現地で据え付けた後、鋼板ブロックの外側から前記間隔調整機構を操作して、隣接する鋼板ブロックの鋼板相互間に生じた目違いを修正し、その後に鋼板ブロック内部にコンクリートを打設することを特徴とする。
【００２０】
請求項２記載の発明は、請求項１に記載した鋼板ブロック工法において、
鋼板ブロックを据え付ける際に、予め隣接させる一方の鋼板ブロックの鋼板相互の間隔を広げておき、その広げた鋼板の相互間へ他方の鋼板ブロックの鋼板端部を嵌め込み、又は前記広げた鋼板の端部を他方の鋼板ブロックの端部に被せ、その後に前記広げた鋼板相互の間隔を縮小して目違いを修正することを特徴とする。
【００２１】
請求項３に記載した発明に係る間隔調整機構を備えた鋼板ブロックは、
平行に配置された表裏の鋼板をセパレーター等の間隔保持材によって一体的に連結して成る鋼板ブロックにおいて、
鋼板の間隔保持材の端部に、鋼板ブロックの外側から操作可能な構成の間隔調整機構が設けられており、前記間隔調整機構により隣接する鋼板相互間に生じた目違いを修正可能に構成されていることを特徴とする。
【００２２】
請求項４記載の発明は、請求項３に記載した間隔調整機構を備えた鋼板ブロックにおいて、
間隔調整機構は押しバネと押し・引きボルトとで構成されており、
前記押しバネは間隔保持材と鋼板との間に配置され、該鋼板に設けたボルト孔から挿入された押し・引きボルトが前記押しバネの内部に通され、間隔保持材の端部に形成された雌ネジ部にネジ込まれ、上記押しバネに圧縮力を発現させていることを特徴とする。
【００２３】
請求項５記載の発明は、請求項３に記載した間隔調整機構を備えた鋼板ブロックにおいて、
間隔調整機構はナットと調整ネジとで構成されており、
前記ナットは鋼板の所定の位置に設けた孔と同心位置となるように、前記鋼板の内側面に設けられていること、
調整ネジの両端部には相互に逆方向の雄ネジ部が形成され、その一方の端部に前記調整ネジを回転させる工具が嵌め込まれる嵌合孔が設けられ、その嵌合孔を設けた側の雄ネジ部が上記ナットにネジ込まれ、他側の雄ネジ部が間隔保持材の端部に形成された雌ネジ部にネジ込まれていることを特徴とする。
【００２４】
請求項６記載の発明は、請求項５に記載した間隔調整機構を備えた鋼板ブロックにおいて、
間隔保持材は、鋼板の変位に追従して撓むように、雌ネジ部を形成した端部以外の部位が、同端部の外径より細く形成されていることを特徴とする。
【００２５】
請求項７記載の発明は、請求項５に記載した間隔調整機構を備えた鋼板ブロックにおいて、
間隔保持材は、鋼板の変位に追従して撓むように柔軟な部材で構成されていることを特徴とする。
【００２６】
【本発明の実施形態、及び実施例】
先ず、請求項１に記載した発明に係る鋼板ブロック工法の実施形態を図１及び図２に基づいて説明する。
【００２７】
この鋼板ブロック工法も、既に概説した工法と略同様に、先ず鋼板コンクリート構造物５の壁部分を構築するために、壁交差部用の鋼板ブロック６を床版７上に据え付ける（図１（Ａ）を参照）。前記鋼板ブロック６は断面Ｌ字形状に表裏の鋼板８ａと８ｂを配置し間隔保持材８ｃで連結した二股鋼板ブロックと、断面Ｔ字形状に表裏の鋼板８ａと８ｂを配置し間隔保持材８ｃで連結した三ツ股鋼板ブロックとが有り、据え付ける部位に応じて使い分ける。
【００２８】
そして、前記壁交差部用の鋼板ブロック６と６の相互間に壁用の鋼板ブロック３を据え付けるが（図１（Ｂ）を参照）、本発明の工法で用いる鋼板ブロック３は、詳細は後述するが間隔保持材２の端部に間隔調整機構を設けており、当該鋼板ブロック３の外側（表面鋼板１ａ側及び裏面鋼板１ｂ側）から前記間隔調整機構を操作して、隣接する鋼板ブロック３の鋼板１ａ（又は１ｂ）と鋼板ブロック６の鋼板８ａ（又は８ｂ）との相互間に生じた目違いを修正して、前記鋼板１ａ（又は１ｂ）と８ａ（又は８ｂ）の端部同士を接合し（図１（Ｃ）を参照）、その鋼板ブロック３と６の内部にコンクリート４を打設して鋼板コンクリート構造物５の壁部分を構築する（図１（Ｄ）を参照）。
【００２９】
その後の工程は、既に概説したように鋼板コンクリート構造物５の床部分を構築し（図２（Ａ）〜（Ｄ）を参照）、その床部分の上方において、上記工程を繰り返して所定の階層の鋼板コンクリート構造物５を構築する。
【００３０】
本発明に係る鋼板ブロック工法は、間隔保持材２の端部に設けた間隔調整機構を鋼板ブロック３の外側から操作し、隣接する鋼板ブロック３の鋼板１ａ（又は１ｂ）と鋼板ブロック６の鋼板８ａ（又は８ｂ）との相互間に生じた目違いを修正するので、作業員が鋼板ブロックの内側に入る必要がなく、修正作業が簡単で作業性が良い。
【００３１】
なお、本実施形態では、隣接する鋼板ブロック相互を接合して据え付けたが、隣接する鋼板の端部同士を突き合わせて鋼板ブロック３を据え付けても良い。
【００３２】
次に、上述した鋼板ブロック工法の実施に使用する請求項３及び請求項４に記載した発明に係る間隔調整機構を備えた鋼板ブロック３（以下、単に鋼板ブロック３と云う。）の実施形態を、図３〜図６に基づいて説明する。
【００３３】
この鋼板ブロック３の基本的な構成は、図３に示すように通例の鋼板ブロックと略同様の構成とされている。すなわち、表裏の鋼板１ａ、１ｂの内側面には、同鋼板１ａ、１ｂの相互間に打設されるコンクリートがしっかりと定着するように、複数本のジベル１２…が接合され、同内側面の左右両端縁にチャンネル材等から成る端部補強材１３（又は１３’）が設けられている。この鋼板１ａ、１ｂは所定の間隔を開けて平行に配置され、セパレーター等の間隔保持材２によって一体的に連結されている。
【００３４】
本発明に係る鋼板ブロック３は、前記間隔保持材２の少なくとも一方の端部に鋼板ブロック３の外側から操作可能な構成の間隔調整機構１４が設けられている。本実施形態では、間隔保持材２の一方の端部２ａが鋼板１ａにスタッド溶接等の手段で接合され、他方の端部２ｂは間隔調整機構１４を介して鋼板１ｂの内側面に連結されている（請求項３記載の発明）。前記間隔保持材２の配置は、鋼板１ａ、１ｂの厚さ及びコンクリートの打設高等を考慮して、コンクリート打設後の鋼板１ａ、１ｂの変形が許容値以下となるように設定される。
【００３５】
間隔調整機構１４は、図３及び図４に示すように押しバネ１５とバネ座金１６と押し・引きボルト１７とで構成されている。前記押しバネ１５は間隔保持材２の外径と略等しい外径を有するコイルバネで構成されており、間隔保持材２の端部２ｂと鋼板１ｂとの間に配置されている。前記鋼板１ｂには、予め間隔保持材２と対応する位置にボルト孔１８が設けられている。前記ボルト孔１８は、詳細は後述するが鋼板１ｂが押し出され、又は押し込められたときに、ボルト孔１８の内周面が押し・引きボルト１７の外周面に引っ掛からないように、前記押し・引きボルト１７の外径より大径に形成されている。
【００３６】
そのボルト孔１８からバネ座金１６を介して挿入された押し・引きボルト１７が上記押しバネ１５の内部に通され、間隔保持材２の端部２ｂに形成された雌ネジ部２ｃにネジ込まれ、上記押しバネ１５に圧縮力を発現させている（請求項４記載の発明）。つまり、図５に示すように、鋼板ブロック３の外部から押し・引きボルト１７が緩められると間隔保持材２、ひいては他側の鋼板１ａに反力をとった押しバネ１５の復元力で鋼板１ｂが外方へ押し出される。前記鋼板１ａに反力をとって押し・引きボルト１７がネジ込まれると鋼板１ｂが内方へ押し込まれ、結果として鋼板１ａと１ｂの相互の間隔を調整することができる構成とされている。このとき、鋼板１ｂが押し・引きボルト１７のボルト頭に対して角度θで傾いて変位しても（図５を参照）、その間に配置されたバネ座金１６が鋼板１ｂの傾斜を好適に吸収し、鋼板１ｂの変位を阻害しない。ちなみに、本実施形態では、押しバネ１５の外周がチューブ部材１９によって覆われ、押しバネ１５の捻れを防いで本来の復元力を発揮する構成とされている。
【００３７】
図３に示す鋼板ブロック３は、端部補強材１３（又は１３’）を設けた鋼板１ａ、１ｂの端部相互も間隔保持材２で連結されている。具体的には、前記間隔保持材２の端部２ａが鋼板１ａの端部補強材１３の内側面に接合されている。そして、間隔保持材２の端部２ｂと鋼板１ｂの端部補強材１３’との間に押しバネ１５が配置され、鋼板１ｂのボルト孔１８と、同ボルト孔１８と同心位置に設けられた端部補強材１３’のボルト孔２０にバネ座金１６を介して挿入された押し・引きボルト１７が上記押しバネ１５の内部に通され、間隔保持材２の端部２ｂに形成された雌ネジ部２ｃにネジ込まれて、鋼板端部でも間隔の調整ができる構成とされている。
【００３８】
したがって、図３に示した鋼板ブロック３は、鋼板１ａが隣接する鋼板ブロック６の鋼板８ａ（図３の破線で示すように、鋼板ブロック６が三ツ股鋼板ブロックの場合は鋼板８ｂ）と略同一平面上に配置されるように据え付け、鋼板ブロック３の外側から押し・引きボルト１７を回転させるだけで、隣接する鋼板ブロック３の鋼板１ｂと鋼板ブロック６の鋼板８ｂとの相互間に生じた目違いを、簡単に修正することができ、上述した鋼板ブロック工法の実施に好適に使用することが可能である。ちなみに、コンクリートを打設した後に押し・引きボルト１７を撤去すると、裏面鋼板１ｂから突出するものがなくなり好都合である。
【００３９】
なお、図３に示した鋼板ブロック３の間隔保持材２の端部２ａは鋼板１ａにスタッド溶接等の手段で接合されているが、この構成に限らない。図６に示すように、鋼板１ａに設けたボルト孔２１から挿入されたボルト２２が、間隔保持材２の端部２ａに形成された雌ネジ部２ｄにネジ込まれ、間隔保持材２の端部２ａが鋼板１ａへ連結された構成でも同様に実施できる。
【００４０】
また、図３に示した鋼板ブロック３は、押し・引きボルト１７が鋼板１ｂのボルト孔１８からバネ座金１６を介して挿入されているが、該バネ座金１６を介さず挿入される場合もある。
【００４１】
更に、上述した鋼板ブロック工法の実施に使用する請求項３及び請求項５〜請求項７に記載した発明に係る間隔調整機構を備えた鋼板ブロック３の実施形態を、図７〜図１１に基づいて説明する。なお、図３に示した鋼板ブロック３との共通部材には同一の符号を用いて説明する。
【００４２】
図７の鋼板ブロック３は、図３に示した鋼板ブロック３と略同様の構成とされ、間隔保持材２の一方の端部２ｂに間隔調整機構２３が設けられているが、その間隔調整機構２３の構成が異なる。
【００４３】
前記間隔調整機構２３は、図７及び図８に示すようにナット２４と調整ネジ２５とで構成されている。前記ナット２４は貫通する雌ネジ部２４ａが形成された筒状体であり、前記雌ネジ部２４ａが鋼板１ｂの所定の位置に設けた孔２６と略同心位置となるように、前記鋼板１ｂの内側面に設けられている。
【００４４】
調整ネジ２５の両端部には、図９に示すように相互に逆方向の雄ネジ部２５ａ、２５ｂが形成され、その一方の端部（雄ネジ部２５ａ側）に調整ネジ２５を回転させる工具（一例として六角レンチ）が嵌め込まれる嵌合孔２５ｃが設けられている。その嵌合孔２５ｃを設けた側の雄ネジ部２５ａが上記ナット２４にネジ込まれ、他方の雄ネジ部２５ｂが間隔保持材２の端部２ｂに形成された雌ネジ部２ｃにネジ込まれている（請求項５記載の発明）。つまり、図１０に示すように、六角レンチ２７を調整ネジ２５の嵌合孔２５ｃに嵌め込み、間隔保持材２、ひいては他側の鋼板１ａに反力をとって前記調整ネジ２５を回転させると鋼板１ｂが外方へ押し出され、又は引き込まれて、結果として鋼板１ａと１ｂの相互の間隔を調整することができる構成とされている。このとき、鋼板１ｂが傾いて変位しても、同鋼板１ｂの変位に追従して間隔保持材２が撓むように、間隔保持材２の雌ネジ部２ｃを形成した端部２ｂ以外の部位が、同端部２ｂの外径Ｒより細く形成されている（図１０を参照、請求項６記載の発明）。
【００４５】
したがって、図７に示した鋼板ブロック３も、鋼板１ａが隣接する鋼板ブロック６の鋼板８ａ（図７の破線で示すように、鋼板ブロック６が三ツ股鋼板ブロックの場合は鋼板８ｂ）と略同一平面上に配置されるように据え付け、鋼板ブロック３の外側から六角レンチ２７によって調整ネジ２５を回転させるだけで、隣接する鋼板ブロック３の鋼板１ｂと鋼板ブロック６の鋼板８ｂとの相互間に生じた目違いを、簡単に修正することができ、やはり上述した鋼板ブロック工法の実施に好適に使用することが可能である。
【００４６】
なお、図７の鋼板ブロック３は、図１に示した鋼板ブロック３と略同様の構成とされているため、鋼板１ａ（又は１ｂ）の両端縁に端部補強材１３（又は１３’）が設けられ、向かい合う端部補強材１３、１３’へ間隔保持材２の端部２ａ、２ｂがそれぞれ連結されているが、この構成に限らない。すなわち、鋼板１ａ（又は１ｂ）の端部が突き出るように端部補強材１３（又は１３’）が前記鋼板１ａ（又は１ｂ）の内側面に設けられ、その鋼板１ａ、１ｂの突出部へ間隔保持材２の端部２ａ、２ｂがそれぞれ連結された構成でも良い。前記鋼板ブロック３を据え付ける際には、予め同鋼板ブロック３の鋼板１ａと１ｂの相互の間隔を広げておき、その広げた鋼板１ａ、１ｂの端部を、他方の鋼板ブロック８の鋼板８ａ、８ｂの内側面端縁にそれぞれ設けた当て板２８、２８に被せ、その後前記広げた鋼板１ａと１ｂの相互の間隔を縮小して目違いを修正することができる（図１１を参照）。また、図示は省略するが、図１１の鋼板ブロック３を長手方向に複数個据え付ける場合は、予め隣接させる一方の鋼板ブロック３の鋼板１ａ、１ｂの相互の間隔を広げておき、その広げた鋼板１ａと１ｂの相互間へ、他方の鋼板ブロック３の鋼板１ａ、１ｂの内側面端縁にそれぞれ設けた当て板を嵌め込み、その後前記広げた鋼板１ａと１ｂの相互の間隔を縮小して目違いを修正することもできる（請求項２記載の発明）。ちなみに、図１１に示した構成は図３の鋼板ブロック３でも同様に実施できる。
【００４７】
また、図７の鋼板ブロック３の間隔保持材２の端部２ａは、図３に示した鋼板ブロック３と同様に、鋼板１ａにスタッド溶接等の手段で接合されているが、この構成に限らない。図６に示すように、鋼板１ａに設けたボルト孔２１から挿入されたボルト２２が、間隔保持材２の端部２ａに形成した雌ネジ部２ｄにネジ込まれ、間隔保持材２の端部２ａが鋼板１ａへ連結された構成でも同様に実施できる。
【００４８】
図７等に示した間隔保持材２は、雌ネジ部２ｃを形成した端部２ｂ以外の部位が、同端部２ｂの外径Ｒより細く形成されているが、間隔保持材２を柔軟な部材で構成しても良く、要するに、間隔保持材２が鋼板１ｂの変位に追従できる構成とされていれば良い（請求項７記載の発明）。
【００４９】
図３及び図７の鋼板ブロック３は、間隔保持材２の一方の端部２ｂのみに間隔調整機構が設けられているので、該間隔調整機構が設けられていない側の鋼板１ａが隣接する鋼板ブロック６の鋼板８ａ（又は８ｂ）と略同一平面上に配置されるように据え付け、他側の鋼板１ｂと隣接する鋼板ブロック６の鋼板８ｂとの相互間に生じた目違いを修正したが、この限りでない。間隔保持材２の両端部２ａと２ｂにそれぞれ間隔調整機構が設けられている場合は、目違いが修正可能な範囲で鋼板ブロック３を据え付け、それぞれ鋼板１ａと８ａ（又は８ｂ）、及び鋼板１ｂと８ｂに生じた目違いを修正すれば良い。なお、鋼板１ｂ（１ａ）が変位した際に、鋼板ブロック３の端部補強材１３’（１３）と鋼板ブロック６の端部補強材２９とが干渉しないように、鋼板ブロック３は隣接する鋼板ブロック６と隙間Ｔを開けて据え付けられる（図３及び図７を参照）。
【００５０】
図３及び図７の鋼板ブロック３は壁交差部用の鋼板ブロック６と接合したが、複数個の鋼板ブロック３…を長手方向に接合しても良く、その場合も隣接する鋼板ブロックの鋼板相互間に生じた目違いを好適に修正して接合することができる。
【００５１】
【本発明の奏する効果】
請求項１及び２に記載した発明に係る鋼板ブロック工法は、間隔保持材の端部に設けた間隔調整機構を鋼板ブロックの外側から操作し、隣接する鋼板ブロックの鋼板相互に生じた目違いを修正するので、作業員が鋼板ブロックの内側に入る必要がなく、修正作業が簡単で作業性が良い。
【００５２】
請求項３〜７に記載した発明に係る間隔調整機構を備えた鋼板ブロックは、隣接する鋼板ブロックの鋼板相互間に生じた目違いを、簡単に鋼板ブロックの外側から修正することができ、上記鋼板ブロック工法の実施に好適に使用することが可能である。
【図面の簡単な説明】
【図１】（Ａ）〜（Ｄ）は、通例の鋼板ブロック工法によって壁部分を構築する工程を概念的に示した図である。
【図２】（Ａ）〜（Ｄ）は、通例の鋼板ブロック工法によって床部分を構築する工程を概念的に示した図である。
【図３】請求項３及び請求項４に記載した発明に係る間隔調整機構を備えた鋼板ブロックを示した概略平面図である。
【図４】図３の間隔調整機構の構造を具体的に示した平面図である。
【図５】間隔調整機構で鋼板を押し出した状態を示した平面図である。
【図６】間隔保持材の他方の端部と鋼板との連結構造を示した断面図である。
【図７】請求項３及び請求項５並びに請求項６に記載した発明に係る間隔調整機構を備えた鋼板ブロックを示した概略平面図である。
【図８】図７の間隔調整機構の構造を具体的に示した平面図である。
【図９】調整ネジを示した正面図である。
【図１０】間隔調整機構で鋼板を押し出した状態を示した平面図である。
【図１１】鋼板と端部補強材と間隔保持材との異なる配置関係を示した平面図である。
【符号の説明】
１ａ、１ｂ        鋼板
２                間隔保持材
２ａ、２ｂ        間隔保持材の端部
２ｃ              雌ネジ部
３                鋼板ブロック
４                コンクリート
５                鋼板コンクリート構造物
１４、２３        間隔調整機構
１５              押しバネ
１６              バネ座金
１７              押し・引きボルト
１８              ボルト孔
２４              ナット
２５              調整ネジ
２５ａ、２５ｂ    雄ネジ部
２５ｃ            嵌合孔
２６              孔
Ｒ                間隔保持材の端部の外径
【図１】
2005016070.tif 000003
【図２】
2005016070.tif 000004
【図３】
2005016070.tif 000005
【図４】
2005016070.tif 000006
【図５】
2005016070.tif 000007
【図６】
2005016070.tif 000008
【図７】
2005016070.tif 000009
【図８】
2005016070.tif 000010
【図９】
2005016070.tif 000011
【図１０】
2005016070.tif 000012
【図１１】
2005016070.tif 000013